(57)【要約】【課題】  ポリゴンミラーの反射面に対して、複数の光束を副走査方向においてそれぞれ異なる角度で入射させる走査光学系において、各長尺レンズの面形状を同一とするとともに、走査レンズに境目のない連続形状の面をもつレンズを用いることができる走査光学系を、提供する。【解決手段】ポリゴンミラー２０によって動的に偏向された各レーザー光束は、結像光学系１０を透過し、走査対象面上に収束する。この結像光学系１０は、その一面がアナモフィック非球面である走査レンズ１１と、互いに同一の面形状を持ち、その少なくとも一面が二次元多項式非球面である長尺レンズ１２とからなる。さらに、ポリゴンミラー５への外側光束Ｌ１の入射角度の絶対値β［ｒａｄ］と結像光学系１０の主走査断面における半画角θ［ｒａｄ］と長尺レンズ１２における二次元多項式非球面の面数Ｎとが、以下の式（１）を満たす。β＜０．１５−０．２θ／Ｎ  ・・・・・・（１）【選択図】  図５
2004361941.tif 000002
【特許請求の範囲】
【請求項１】
複数の光源から発された複数のレーザー光束を主走査方向に動的に偏向し、夫々の光束に対応する走査対象面上に収束させる走査光学系において、
主走査方向に直交する副走査方向においてそれぞれ異なった角度でその反射面に入射した各レーザー光束を主走査方向へ動的に偏向する偏向器と、
この偏向器によって偏向された各レーザー光束を夫々に対応した走査対象面上に収束させるための結像光学系とを備え、
前記結像光学系は、
前記偏向器によって偏向された各レーザー光束が共に入射し、少なくともその一面が、主走査方向の断面形状が光学面基準軸からの主走査方向の距離の関数として、副走査方向の断面形状が光学面基準軸からの主走査方向の距離の関数として、それぞれ独立に定義されるアナモフィック非球面である走査レンズ群と、
前記走査レンズ群を透過した各光束毎に配置され、互いに同じ光学面形状を持つとともに、少なくともその一面が、主走査方向、及び副走査方向の断面形状が夫々、光学面基準軸からの距離に関する多項式で表現される二次元多項式非球面である複数の長尺レンズとからなり、
各長尺レンズの光学面基準軸は、副走査方向において、その長尺レンズを透過する光束の前記反射面に対する副走査方向における入射角度に依って夫々異なる角度で、前記走査レンズ群の光学面基準軸に対して傾くように配置されている
ことを特徴とする走査光学系。
【請求項２】
前記反射面に対する副走査方向における入射角度の絶対値が最も大きいレーザー光束の当該入射角度をβ［ｒａｄ］，主走査方向における前記走査レンズ群の光学面基準軸を基準としたレーザー光束の最大傾斜角である半画角をθ[ｒａｄ]，前記長尺レンズにおける二次元多項式非球面の面数をＮとした場合に、下記式（１）を満たすことを特徴とする請求項１記載の走査光学系。
β＜０．１５−０．２θ／Ｎ    ・・・・・・（１）
【請求項３】
前記走査レンズ群における前記アナモフィック非球面は、副走査方向の断面形状が円弧であり、その副走査方向の曲率が、当該走査レンズ群の光学面基準軸からの主走査方向の距離に依って、当該光学面基準軸に対して非対称に変化し、当該光学面基準軸から主走査方向に離れるにしたがって副走査方向の屈折力が小さくなる面であり、
前記長尺レンズにおける前記二次元多項式非球面は、当該長尺レンズの光学面基準軸を含み主走査方向に平行な平面に対して非対称、且つ、夫々の光学面基準軸を含み副走査方向に平行な平面である副走査断面を対称面として対称な形状をとり、その副走査断面からの距離に依って、副走査断面に平行な断面における当該二次元多項式非球面の形状が変化する面であることを特徴とする請求項１又は２記載の走査光学系。
【請求項４】
前記長尺レンズは、その両面が前記二次元多項式非球面である
ことを特徴とする請求項１乃至３の何れかに記載の走査光学系。
【請求項５】
前記走査レンズ群に入射する各レーザー光束は、当該走査レンズ群の光学面基準軸を含み主走査方向に平行な平面である主走査断面を対称面として面対称に入射し、
前記複数の長尺レンズは、夫々、当該主走査断面を対称面として、面対称に配置されている
ことを特徴とする請求項１乃至４の何れかに記載の走査光学系。
【請求項６】
前記走査レンズ群に入射するレーザー光束は４本であり、各レーザー光束は、前記主走査断面に面対称な２本一組の光路を通って前記走査レンズ群に入射するように配置されており、
前記複数の長尺レンズは、当該主走査断面から遠い側に配置され、当該主走査断面から遠い側を進行する一組の外側レーザー光束が入射する一組の外側長尺レンズと、当該主走査断面から近い側に配置され、当該主走査断面から近い側を進行する一組の内側レーザー光束が入射する一組の内側長尺レンズとからなり、
前記各外側長尺レンズにおける光学面基準軸と、当該外側長尺レンズに隣り合う前記内側長尺レンズにおける光学面基準軸との交点が、前記走査レンズ群側にあり、
各内側長尺レンズの光学面基準軸に対する、この内側長尺レンズに隣り合う外側長尺レンズの光学面基準軸の副走査方向における傾斜角が、前記外側レーザー光束と前記内側レーザー光束の前記反射面への副走査方向における入射角度の差よりも大きくなる
ことを特徴とする請求項５記載の走査光学系。
【請求項７】
前記内側レーザー光束に対する前記外側レーザー光束の前記反射面への副走査方向における入射角度の差をΔβ［°］、前記内側長尺レンズの光学面基準軸に対する前記外側長尺レンズの光学面基準軸の副走査方向における傾斜角をΔｔ［°］、前記長尺レンズの主走査方向における各レーザー光束が透過する範囲内で、当該長尺レンズの二次元多項式非球面が副走査方向と平行な線に対して副走査方向においてなす角度がとる値の最大値と最小値との差をｓ［°］とした場合に、以下の条件式（２）を満たす請求項６記載の走査光学系。
０．７＜（Δｔ＋｜ｓ｜）／Δβ＜１．０    ・・・・・・（２）
【発明の詳細な説明】
【技術分野】
【０００１】
本発明は、カラープリンターやカラーコピー機などの印刷装置に組み込まれる走査光学系に、関する。
【背景技術】
【０００２】
一般に、走査光学系は、画像情報に従ってオンオフ変調されたレーザービームをポリゴンミラーによって動的に偏向するとともに、動的に偏向されたレーザービームを結像光学系によって走査対象面上にスポット光として収束させる。これにより、走査光学系は、オンオフ変調されたスポット光を走査対象面上で主走査方向に沿って等速度で走査させ、複数のドットからなる画像（静電潜像）を走査対象面上に形成する。
【０００３】
ところで、カラーレーザープリンタ等に使用される走査光学系の一つの形態に、所謂１ポリゴンタンデム走査光学系がある。この１ポリゴンタンデム走査光学系は、複数の発光点から発した各色に対応する複数の光束を、１個のポリゴンミラーの反射面にて同時に反射して、各光束毎に備えられた結像光学系に夫々入射させて各走査対象面上に導くことで、各色に対応した静電潜像(各色成分毎の静電潜像)を形成する。
【０００４】
このように１個のポリゴンミラーを用いて複数のレーザー光束を一度に偏向する場合、主走査方向に直交する副走査方向に分離して配置された各結像光学系に向けてレーザー光束を夫々入射させるために、各レーザー光束を、副走査方向に離間させて平行に並べた状態でポリゴンミラーの反射面に入射させる方法（例えば、特許文献１参照）が、提案されている。
【０００５】
しかしながら、副走査方向に離間させて平行に並べた各レーザー光束をポリゴンミラーの反射面に互いの光束が平行な状態で入射させようとすると、レーザー光源の機械的制約により各レーザー光束同士の間隔をある程度以上狭くすることができないので、ポリゴンミラーの副走査方向における幅（即ち、厚さ）を大きくせねばならなかった。このようにポリゴンミラーを大型化すると、それを高速回転させるモーターもパワーの強いものを用意せねばならないために、走査光学系全体の製造コストが高くなってしまうという問題が生じてしまう。
【０００６】
上記の問題を解決したものとして、本出願人は、各色に対応した複数の光束をポリゴンミラーの反射面上の同一点に向けて副走査方向において互いに異なる角度で斜めに入射させる走査光学系を、特願２００１−３５１８４７号において提案した。図２２は、この走査光学系を副走査方向から見た図である。図２２に示されるように、この走査光学系によると、ポリゴンミラー９０の反射面の同一点上で反射された各光束は、副走査方向において互いに徐々に離れながら、結像光学系を構成する走査レンズ９ａを透過し、続いて、光束毎に配置された反射ミラー群９００によって夫々に対応する長尺レンズ９ｙ，９ｍ，９ｃ，９ｋに向かって反射される。そして、これら各光束は、夫々、各長尺レンズ９ｙ，９ｍ，９ｃ，９ｋを個別に透過し、所定の間隔を空けて平行に並べられた感光ドラム９Ｙ，９Ｍ，９Ｃ，９Ｋへ、個別に入射する。このように構成されていると、ポリゴンミラー９０の反射面上の同一点において各光束が反射されるため、ポリゴンミラー９０の厚みを薄くすることができる。
【０００７】
しかしながら、複数の光束をポリゴンミラーの反射面上の同一点に対して副走査方向において互いに異なる角度で斜めに入射させると、各光束に対して収差（走査線湾曲や波面のねじれ等）が発生し、その程度はポリゴンミラーへの副走査方向における入射角度の大きさに依って変化するため、以下のような問題点があった。
【０００８】
即ち、上述の走査光学系においては、ポリゴンミラーの反射面へ各光束が斜めに入射することに因って発生する収差を、各光束毎に個別に設けられた長尺レンズによって補正すべく、各光束毎に、その光束のポリゴンミラーへの副走査方向における入射角度の絶対値（換言すると、発生する収差の程度）に応じた固有の面形状を持つ長尺レンズを夫々用意する必要がある。そのため、面形状が互いに異なる長尺レンズを、複数種類（少なくとも２種類）用意しなくてはいけなかった。なお、長尺レンズを成形するために用いられる金型も、その長尺レンズのレンズ面形状の種類に応じた数だけ用意する必要があり、それに因っても、走査光学系全体の製造コストが高くなってしまう。
【０００９】
そこで、本出願人は、各色に対応した複数の光束をポリゴンミラーの反射面上の同一点に向けて副走査方向において互いに異なる角度で斜めに入射させるとともに、長尺レンズを一つの共通した金形で構成できる走査光学系を、特願２００３−０９９１９０号において提案した。この走査光学系の結像光学系は、ポリゴンミラーへの副走査方向における入射角度の絶対値が異なる光束毎に対応した（即ち、各光束が透過する領域毎に異なった）個別の面形状を持つ走査レンズと、互いに同じ面形状を持つ長尺レンズとから構成されている。なお、各長尺レンズは、ティルトすることによって偏心している。この走査光学系によると、長尺レンズに同一形状のレンズ面を使用しているために補正しきれない収差を、走査レンズに各光束が透過する領域毎に異なる面形状を持たせることと、長尺レンズを
ティルトさせることによって、補正している。
【特許文献１】特開平１０−１３３１３１号公報
【発明の開示】
【発明が解決しようとする課題】
【００１０】
しかしながら、上記の走査光学系のように、各光束ごとに設けられる長尺レンズの面形状を同一とする場合、走査光学系に要求される基本的な走査性能を満たしつつ、上記したような収差を良好に補正するためには、走査レンズの面形状として、各光束が透過する領域毎に異なる二次元多項式非球面（又は、アナモフィック非球面）を用いなければならない。従って、走査レンズにおける別々の面形状を持つ領域同士の間に、段差のある境目ができてしまう。このような段差のある形状を持つ走査レンズの製作は、従来のような各領域間に境目のない連続した形状の面を持つ走査レンズに比べて困難であり、製造コストが高くなってしまうという問題が、あった。
【００１１】
本発明は、以上のような問題点に鑑みてなされたものであり、その課題は、ポリゴンミラーの反射面に対して、複数の光束を副走査方向においてそれぞれ異なる角度で入射させる走査光学系でありながら、各光束毎に設けられる長尺レンズの面形状を同一のものとするとともに、複数の光束に共通して用いられる走査レンズに境目のない連続形状の面をもつレンズを用いることができる走査光学系を、提供することである。
【課題を解決するための手段】
【００１２】
上記の課題を解決するために、本発明による走査光学系は、以下のような構成を採用した。即ち、本発明による走査光学系は、複数の光源から発された複数のレーザー光束を主走査方向に動的に偏向し、夫々の光束に対応する走査対象面上に収束させる走査光学系において、主走査方向に直交する副走査方向においてそれぞれ異なった角度でその反射面に入射した各レーザー光束を主走査方向へ動的に偏向する偏向器と、この偏向器によって偏向された各レーザー光束を夫々に対応した走査対象面上に収束させるための結像光学系とを備えている。そして、前記結像光学系は、前記偏向器によって偏向された各レーザー光束が共に入射し、少なくともその一面が、主走査方向の断面形状が光学面基準軸からの主走査方向の距離の関数として、副走査方向の断面形状が光学面基準軸からの主走査方向の距離の関数として、それぞれ独立に定義されるアナモフィック非球面である走査レンズ群と、前記走査レンズ群を透過した各光束毎に配置され、互いに同じ光学面形状を持つとともに、少なくともその一面が、主走査方向、及び副走査方向の断面形状が夫々、光学面基準軸からの距離に関する多項式で表現される二次元多項式非球面である複数の長尺レンズとからなる。また、各長尺レンズの光学面基準軸は、副走査方向において、その長尺レンズを透過する光束の前記反射面に対する副走査方向における入射角度に依って夫々異なる角度で、前記走査レンズ群の光学面基準軸に対して傾くように配置されていることを特徴としている。
【００１３】
このように構成されると、ポリゴンミラーの反射面に対して、複数の光束を副走査方向においてそれぞれ異なる角度で入射させる走査光学系において、各光束毎に設けられる長尺レンズの面形状を同一のものとするとともに、複数の光束に共通して用いられる走査レンズに境目のない連続形状の面をもつレンズを用いることができる。さらに、走査レンズに連続形状のものを用いても、走査光学系に要求される基本的な走査性能を満たしつつ、発生し得る各収差を小さく抑えることができる。したがって、走査レンズのレンズ面を各光束が透過する領域毎に異なる面形状とすること無く、長尺レンズのレンズ面を同一形状とすることができる。
【００１４】
また、本発明の走査光学系は、反射面に対する副走査方向における入射角度の絶対値が最も大きいレーザー光束の当該入射角度をβ［ｒａｄ］，主走査方向における前記走査レンズ群の光学面基準軸を基準としたレーザー光束の最大傾斜角である半画角をθ[ｒａｄ]，前記長尺レンズにおける二次元多項式非球面の面数をＮとした場合に、下記式（１）を満たすようにしても良い。
【００１５】
β＜０．１５−０．２θ／Ｎ    ・・・・・・（１）
また、本発明の走査光学系は、外側長尺レンズの光学面基準軸と、その長尺レンズにとなりあう内側長尺レンズの光学面基準軸との交点が、走査レンズ群側にあり、その内側長尺レンズの光学面基準軸に対する外側長尺レンズの光学面基準軸の副走査方向における傾斜角が、外側レーザー光束と内側レーザー光束のポリゴンミラーの反射面への副走査方向における入射角度の差よりも大きくしても良い。
【００１６】
これは、外側の長尺レンズが内側の長尺レンズに比べて相対的に、プラス側にティルトしていることを示している。なお、その光学面基準軸同士が交わる外側長尺レンズと内側長尺レンズとは、副走査方向において、互いに隣り合うレンズ同士のことである。
【００１７】
さらに、本発明の走査光学系は、内側レーザー光束に対する外側レーザー光束のポリゴンミラーの反射面への副走査方向における入射角度の差をΔβ［°］、内側長尺レンズの光学面基準軸に対する外側長尺レンズの光学面基準軸の副走査方向における傾斜角をΔｔ［°］、長尺レンズの主走査方向における各レーザー光束が透過する範囲内で、当該長尺レンズの二次元多項式非球面が副走査方向と平行な線に対して副走査方向においてなす角度がとる値の最大値と最小値との差をｓ［°］とした場合に、以下の条件式（２）を満足しても良い。
【００１８】
０．７＜（Δｔ＋｜ｓ｜）／Δβ＜１．０    ・・・・・・（２）
走査光学系が上記式（２）を満たすように構成されていると、より良好な走査性能を得ることができる。
【００１９】
なお、走査レンズ群は、一枚のレンズから構成されていても良いし、複数枚のレンズから構成されていても良い。
【発明の効果】
【００２０】
以上に説明したように、本発明によれば、ポリゴンミラーの反射面に対して、複数の光束を副走査方向においてそれぞれ異なる角度で入射させる走査光学系でありながら、各光束毎に設けられる長尺レンズの面形状を同一のものとするとともに、複数の光束に共通して用いられる走査レンズに境目のない連続形状の面をもつレンズを用いることができる。
【発明を実施するための最良の形態】
【００２１】
本実施形態による走査光学系は、所謂１ポリゴンタンデム走査光学系であり、印刷用紙を一回搬送する間にイエロー，マゼンダ，シアン，黒の色成分のトナー像をその印刷用紙に順次転写してカラー画像を高速に印刷するタイプのカラーレーザープリンターに組み込まれて使用されるものである。以下、本発明に係る走査光学系の実施形態について、図面を参照しながら説明する。なお、本実施形態による走査光学系では、その全体像を概略的に示す斜視図である図１に示されるように、ポリゴンミラー５によって偏向された４本のレーザー光束の光路が、夫々に対応した４組の折り返しミラー１３，１４によって折り曲げられている。これは、上述したようなカラーレーザープリンターに本実施形態の走査光学系が組み込まれた際に、所望の間隔で並べられた４本の感光ドラム２０Ｙ，２０Ｍ，２０Ｃ，２０Ｋへと各光束を導くためである。  なお、以下の説明を容易にするために、ポリゴンミラー５の中心軸５ａに直交する面と平行な方向が「主走査方向」であると定義し、中心軸５ａと平行な方向が「副走査方向」であると定義する。
【００２２】
図２は、本実施形態による走査光学系の主要部の主走査方向における光学構成を示す展開図であり、図３は、本実施形態による走査光学系の主要部の副走査方向における光学構成を示す展開図である。
【００２３】
本実施形態の走査光学系は、図１乃至図３に示されるように、光源ユニット１と、シリンドリカルレンズ２と、光源ユニット１から射出された４本のレーザー光束を同時に偏向する回転多面鏡であるポリゴンミラー５と、このポリゴンミラー５により偏向された４本のレーザー光束を夫々結像させる結像光学系１０（走査レンズ１１及び長尺レンズ１２）と、その表面が走査対象面Ｓとして機能する４本の感光ドラム２０Ｙ，２０Ｍ，２０Ｃ，２０Ｋとを、備えている。そして、４本の感光ドラムは、イエロー用の感光ドラム２０Ｙ，マゼンダ用の感光ドラム２０Ｍ、シアン用の感光ドラム２０Ｃ，及び、黒用の感光ドラム２０Ｋである。各感光ドラム２０Ｙ，２０Ｍ，２０Ｃ，２０Ｋは、上記の順で、所定の間隔を開けて互いに平行に並べられており、図１の紙面上において上側から下側へ向かう方向（印刷用紙の搬送方向）に沿って一列に配置されている。
【００２４】
光源ユニット１は、４つのレーザーダイオードもしくは４つのレーザーダイオードを一体化したチップ，及び、各レーザーダイオードから発散光束として発振されるレーザービームをそれぞれ平行光束に変換するコリメートレンズを、備える。この光源ユニット１からは、互いに平行となって等間隔に一列に並ぶ４本のレーザービームが、出力される。なお、各レーザービームが並ぶ方向は、副走査方向と平行な方向である。
【００２５】
シリンドリカルレンズ２は、シリンドリカル面及び平面を入射側及び射出側に夫々有するレンズであり、光源ユニット１から出力される４本のレーザービームを、それぞれ副走査方向において収束させると共に、一点に収束させる。
【００２６】
ポリゴンミラー５は、扁平な正多角柱状に形成されており、その各側面は反射面として構成されている。また、ポリゴンミラー５は、その中心軸５ａ周りに等角速度で回転駆動されるようになっている。そして、ポリゴンミラー５は、シリンドリカルレンズ２によって４本のレーザービームが収束される一点の近傍にその何れかの側面が常時存在する位置に、配置されており、その中心軸５ａは、上記搬送方向と平行な方向に向けられている。従って、このポリゴンミラー５は、シリンドリカルレンズ２を透過した後の４本のレーザービームを、その各側面によって結像光学系１０に向けて同時に反射する。この時、ポリゴンミラー５が回転駆動されていれば、４本のレーザービームは、その回転に伴って動的に偏向される。このように、ポリゴンミラー５は、偏向器として機能する。
【００２７】
なお、４本のレーザービームが収束する一点を含んでポリゴンミラー５の中心軸５ａに直交する平面（仮想平面）を「主走査断面」と定義する。この主走査断面は、図３において一点鎖線で示すように、内側の一対の感光ドラム２０Ｍ、２０Ｃの中間位置に存在している。また、ポリゴンミラー５に入射する４本のレーザービームのうち、内側の２本は、主走査断面を挟む両側における互いに対称な位置をそれぞれ進行する。このため、内側の２本について、主走査断面に対する傾き角度の絶対値が互いに同じになっており、外側の２本についても、内側のそれらと同様に、主走査断面に対する傾き角度の絶対値が同じになっている。
【００２８】
結像光学系１０は、走査速度補正機能付きのレンズ群であり、ポリゴンミラー５に近い側にある走査レンズ１１と、各感光ドラム２０Ｙ，２０Ｍ，２０Ｃ，２０Ｋに近い側にある長尺レンズ１２ｙ，１２ｍ，１２ｃ，１２ｋとから、構成さ
れている。なお、これら各レンズ１１，１２ｙ，１２ｍ，１２ｃ，１２ｋにおける光学面は、後述するように、非回転対称な形状に形成されており、回転対称な光学面での対称軸に相当する軸を持たない。そこで、光学面の形状を式によって
表現する時に設定される原点を通る軸を「光学面基準軸」と言うことにし、この光学面基準軸を、回転対称な光学面での対称軸、すなわち、光軸に相当するものとして取り扱うことにする。
【００２９】
走査レンズ１１は、ポリゴンミラー５によって動的に偏向されたレーザービームを主に主走査方向に収束させるパワーを有する。この走査レンズ１１は、その光学面基準軸Ａｘが主走査断面内に含まれるように、配置されている。走査レンズ１１の前面（ポリゴンミラー５側の面）１１ａは、回転対称な連続面として形成されている。一方、後面（走査対象面Ｓ側の面）は、主走査断面は光学面基準軸からの主走査方向の距離の関数、副走査断面は曲率が光学面基準軸からの主走査方向の距離の関数として、独立に定義される非球面であるアナモフィック非球面である。そして、走査レンズ１１の光学面基準軸Ａｘは、レーザー光源１から発して、ポリゴンミラー５の反射面の中心において反射されたレーザー光束のビーム軸と主走査方向においてほぼ重なっている。さらに、このアナモフィック非球面は副走査方向の断面形状が円弧であり、その副走査方向の曲率は、光学面基準軸Ａｘからの主走査方向の距離に依って、光学面基準軸Ａｘを対称軸として非対称に変化している。具体的には、このアナモフィック非球面は光学面基準軸Ａｘから主走査方向に離れるにしたがって副走査断面パワーが大きくなっている。また、このアナモフィック非球面の形状は、主走査方向においては光学面基準軸Ａｘを対称軸として対称である。
【００３０】
長尺レンズ１２は、ポリゴンミラー５によって動的に偏向されたレーザービームを主に副走査方向に収束させるパワーを有し、副走査方向の像面湾曲を補正する機能をも負担するレンズである。
【００３１】
また、各長尺レンズ１２ｙ，１２ｍ，１２ｃ，１２ｋの光学面基準軸Ａｘ´は、主走査方向において、走査レンズ１１の光学面基準軸Ａｘと同軸（互いに平行）となっている。但し、各長尺レンズ１２ｙ，１２ｍ，１２ｃ，１２ｋは、その光学面基準軸Ａｘ´が走査レンズ１１の光学面基準軸Ａｘに対して副走査方向へティルトする（換言すると、長尺レンズ１２の光学面基準軸Ａｘ´が、走査レンズ１１の光学面基準軸Ａｘに対して副走査断面内で非平行となる）ことによって、偏心している（図３参照）。なお、長尺レンズ１２が、レンズ面における主走査断面から遠い側を副走査断面内においてポリゴンミラー５側に傾けることによって偏心している状態をプラスティルト，レンズ面における主走査断面から遠い側を走査対象面Ｓ側に傾けることによって偏心している状態をマイナスティルト
という。さらに、外側の長尺レンズ（１２ｙ，１２ｋ）の光学面基準軸は、内側の長尺レンズ（１２ｍ，１２ｃ）の光学面基準軸に比べて（相対的に）より大きくプラス方向にティルトしている。これは、主走査断面から遠い側に配置され、当該主走査断面から遠い側を進行する一組の外側レーザー光束が入射する一組の外側長尺レンズにおける光学面基準軸と、主走査断面から近い側に配置され、当該主走査断面から近い側を進行する一組の内側レーザー光束が入射する一組の内側長尺レンズにおける光学面基準軸との交点が、常に前記走査レンズ群側にあり、当該内側長尺レンズの光学面基準軸に対する当該外側長尺レンズの光学面基準軸の副走査方向における傾斜角が、前記外側レーザー光束と前記内側レーザー光束の反射面への副走査方向における入射角度の差よりも大きくなることに、相当
する。
【００３２】
なお、これら各長尺レンズ１２ｙ，１２ｍ，１２ｃ，１２ｋは、すべて同一の面形状を持ち、図３において主走査断面Ｐよりも上側を進行する２本のレーザービーム（Ｌ１，Ｌ２）用の長尺レンズ１２ｙ，１２ｍと、主走査断面Ｐよりも下側を進行する２本のレーザービーム（Ｌ３，Ｌ４）用の長尺レンズ１２ｃ，１２ｋとは、主走査断面を挟む両側における対称な位置において、主走査断面を対称面として鏡面対称となるように、夫々配置されている。またこれら長尺レンズ１２の少なくとも一面は、主走査方向，副走査方向夫々の高さに関する多項式で表現される非球面である二次元多項式非球面である。この二次元多項式非球面は、主走査方向においては、光学面基準軸Ａｘ´を対称軸として対称な面形状を持ち、副走査方向においては、光学面基準軸Ａｘ´を対称軸として非対称な面形状を持つ。また、副走査方向の断面内での傾きが主走査方向における光学面基準軸Ａｘ´からの距離によって変化している。
【００３３】
図４は、本実施形態による走査光学系の主要部の副走査方向における光学構成をレーザービームごとに分けて示した展開図である。なお、図４（ａ）は、主走査断面に近い側を進行する２本のレーザービーム用の長尺レンズ１２ｍ，１２ｃ（以下、「内側の光学系」という）の副走査方向における主要部の光学構成図であり、図４（ｂ）は、主走査断面から遠い側を進行する２本のレーザービーム用の長尺レンズ１２ｙ，１２ｋ（以下「外側の光学系」という）の副走査方向における主要部の光学構成図である。
【００３４】
なお、本実施形態による走査光学系は、この長尺レンズ１２において二次元多項式非球面が使用される面の数（即ち、前面及び後面にのみ使用される場合には１，両面に使用される場合には２）をＮとし、ポリゴンミラー５に入射する４本のレーザービームのうち、外側の光束のポリゴンミラー５に対する副走査方向における入射角度の絶対値をβ[ｒａｄ]とし（図４ｂ参照）、結像光学系１０の主走査断面における光学面基準軸を基準としたレーザー光束の最大傾斜角である半画角をθ[ｒａｄ]として、以下の条件式（１）を満たす。
【００３５】
β＜０．１５−０．２θ／Ｎ              ・・・・・・（１）
さらに、この走査光学系は、図３において主走査断面Ｐよりも上側を進行する２本のレーザービーム（Ｌ１，Ｌ２）において、外側の光束Ｌ１と内側の光束Ｌ２とのポリゴンミラー５への副走査方向における入射角度の差（外側レーザー光束と内側レーザー光束の反射面への副走査方向における入射角度の差に相当）をΔβとし（図３参照）、外側の光束Ｌ１が入射する長尺レンズ１２ｙのティルト量と内側の光束Ｌ２が入射する長尺レンズ１２ｍのティルト量との差（内側長尺レンズの光学面基準軸に対する外側長尺レンズの光学面基準軸の副走査方向における傾斜角に相当）をΔｔとし、長尺レンズ１２に使用されている二次元多項式非球面における有効範囲（即ち、主走査方向において、長尺レンズ１２のレンズ面における光線が実際に透過する範囲）内での副走査断面形状の傾きの変化量の最大値（即ち、長尺レンズの二次元多項式非球面が副走査方向と平行な線に対して副走査方向においてなす角度がとる値の最大値と最小値との差）をｓとして、以下の条件式（２）を満たす。なお、両面が二次元多項式非球面の場合は、前面における変化量の最大値ｓ1と、後面における変化量の最大値ｓ2との平均値を、ｓとする。
【００３６】
０．７＜（Δｔ＋｜ｓ｜）／Δβ＜１．０    ・・・・・・（２）
走査光学系が上記各条件式（１），（２）を満たすことにより、β，及びΔβがこのように設定されると、走査レンズ１１において連続形状のレンズ面を使用した場合でも、走査光学系に要求される基本的な走査性能を満たしつつ、各収差を良好に補正することができる。これに対して、走査光学系が上記条件式（１），（２）を満たしていないと、走査レンズ１１において連続形状のレンズ面を使用した場合に、光束が良好に長尺レンズに入射しない，及び、収差が許容範囲を超えてしまう等の問題が生じてしまう。
【００３７】
光源ユニット１から平行光として発せられた４本のレーザー光束は、シリンドリカルレンズ２を透過した後、中心軸５ａ周りに等角速度にて回転駆動されるポリゴンミラー５により夫々偏向される。ポリゴンミラー５により偏向された各レーザー光束は、夫々の光束が共通して入射する走査レンズ１１、及び夫々に対応した長尺レンズ１２ｙ，１２ｍ，１２ｃ，１２ｋからなる結像光学系１０を透過することにより、夫々に対応した感光ドラム２０Ｙ，２０Ｍ，２０Ｃ，２０Ｋの走査対象面Ｓ上に、スポット光として収束される。これらスポット光は、ポリゴンミラー５の回転に伴って、各感光ドラム２０Ｙ，２０Ｍ，２０Ｃ，２０Ｋの表面上を、主走査方向(図１において矢印が示す方向)に沿って等速度に走査する。なお、各感光ドラム２０Ｙ，２０Ｍ，２０Ｃ，２０Ｋ上で繰り返し走査される４本のレーザービームは、画像情報に従ってオンオフ変調されるので、各感光ドラム２０Ｙ，２０Ｍ，２０Ｃ，２０Ｋがともに等角速度で回転していれば、各感光ドラム２０Ｙ，２０Ｍ，２０Ｃ，２０Ｋの表面には、複数のドットからなる二次元状の画像が静電潜像として形成される。この時、結像光学系１０によってポリゴンミラー５の各側面と走査対象面Ｓとが副走査方向において共役関係となっているために、走査対象面Ｓでは、ポリゴンミラー５の各側面の僅かな傾き（いわゆる「面倒れ」）による副走査方向における走査位置のズレが、補正される。このため、レーザー光束は、ポリゴンミラー５のどの面によって反射されても、走査対象面Ｓにおける同一線上を走査する。
【００３８】
なお、上述したように、実際の本実施形態による走査光学系は、走査された４本のレーザービームの光路が４組の反射ミラー１３，１４によって折り曲げられている光学構成を有している。具体的には、図１及び図５に示されるように、走査レンズ１１を透過した各レーザービーム（Ｌ１，Ｌ２，Ｌ３，Ｌ４）は、夫々に対応した２枚一組の反射ミラー（１３ｙと１４ｙ，１３ｍと１４ｍ，１３ｃと１４ｃ，１３ｋと１４ｋ）によって、夫々反射され、夫々に対応した長尺レンズ（１２ｙ，１２ｍ，１２ｃ，１２ｋ）へと入射し、夫々に対応した感光ドラム２０Ｙ，２０Ｍ，２０Ｃ，２０Ｋ上に収束する。
【００３９】
以下、本実施形態における走査光学系の具体的な実施例を４例挙げて説明する。なお、以下の実施例は、反射ミラー１３ｙ，１３ｍ，１３ｃ，１３ｋ及び１４ｙ，１４ｍ，１４ｃ，１４ｋを省略し、光路を展開した状態で説明する。
【実施例１】
【００４０】
以下の表１には、本実施形態の第１の実施例の走査光学系における内側及び外側の光学系の具体的な数値構成が、示されている。
【００４１】
【表１】
2004361941.tif 000003
この表１において、記号ＮＯは、シリンドリカルレンズ２の入射側の面を１番としてこのレンズ面より射出側に向かって昇順に各光学面に付された面番号を示す。具体的には、第１面及び第２面はシリンドリカルレンズ２を、第３面はポリゴンミラー５の反射面を、第４面は走査レンズ１１の前面を、それぞれ示す。また、第５面は、走査レンズ１１の後面を示し、第６面及び第７面は、長尺レンズ１２の前面及び長尺レンズ１２の後面を、それぞれ示す。第８面は走査対象面Ｓを示す。また、記号Ｒｙは、光学面基準軸上での光学面の主走査方向の曲率半径（単位は［ｍｍ］）であり、記号Ｒｚは、光学面基準軸上での光学面の副走査方向の曲率半径（単位は［ｍｍ］）であり、記号ｄは、次の光学面までの光学面基準軸上での距離（単位は［ｍｍ］）であり、記号ｎは、設計波長７８０ｎｍでの
各レンズの屈折率である。また、記号ＤＥＣＺは、各長尺レンズ１２ｙ，１２ｍ，１２ｃ，１２ｋについては、それら各長尺レンズ１２ｙ，１２ｍ，１２ｃ，１２ｋがティルトしていないとした場合におけるその光学面基準軸Ａｘ´´（図４（ａ）及び図４（ｂ）参照）の上記光学面基準軸Ａｘからの副走査方向へのシフト量（単位は［ｍｍ］）を、示す（図４（ａ）及び図４（ｂ）にＤＥＣＺとして図示）。また、記号ＤＥＣＺは、走査対象面（第８面）Ｓについては、レーザービームの入射地点の上記光学面基準軸Ａｘ´´からの副走査方向へのシフト量（単位は［ｍｍ］）である（微小なため、図示略）。なお、第６面と第８面における、記号「／」によって併記されている左側の数値と右側の数値とは、夫々外側の光学系におけるＤＥＣＺと、内側の光学系におけるＤＥＣＺとを示す。さらに、ＴＩＬＴ−βは、各光学系（長尺レンズ）のティルト量を示す。このＴＩＬＴ−βにおける記号が＋の時は、長尺レンズ１２が、プラスティルトしていることを示す。また、このティルト量が−の時は、長尺レンズ１２が、マイナスティルトしていることを示す。ＴＩＬＴ−βにおける、記号「／」によって併記されている左側の数値と右側の数値とは、ＤＥＣＺと同様に、夫々外側の光学系におけるティルト量と、内側の光学系におけるティルト量とする。なお、この走査光学系全体の焦点距離は２３５ｍｍであり、走査対象面Ｓ上での有効走査幅は２１６ｍｍである。
【００４２】
さらに、上記光学面基準軸Ａｘを含んで主走査断面と直交する（即ち、光学面基準軸Ａｘを含み、ポリゴンミラー５の中心軸５ａに平行な）仮想平面を「副走査断面」と定義すると、本実施形態では、ポリゴンミラー５へ入射するレーザービームの光路を副走査断面に投影した場合、外側のレーザービームのポリゴンミラー５への入射角度は、３．６°であり、内側のレーザービームのポリゴンミラー５への入射角度は、１．２°である。また、ポリゴンミラー５へ入射するレーザービームの光路を主走査断面内に投影した場合、当該レーザービームは、光学面基準軸Ａｘに対して７５．０°傾けられている。
【００４３】
以上の数値を条件式（１）に当てはめてみると、（β＝０．０６２８［ｒａｄ］，θ＝０．４３１１［ｒａｄ］，Ｎ＝１より）β＜０．０６３８となり、本第１の実施例はこの条件（１）を満たしている。さらに、以上の数値を条件式（２）に当てはめてみると、（Δｔ＝１．８５°，｜ｓ｜＝０．４７°，Δβ＝２．４°）より、（Δｔ＋｜ｓ｜）／Δβ＝０．９６となり、本第１の実施例はこの条件（２）を満たしている。
【００４４】
なお、本第１の実施例では、走査レンズ１１の前面（第４面）１１ａは、凹の球面として形成されており、その後面（第５面）は、アナモフィック非球面として形成されている。また、内側及び外側の長尺レンズ１２ｙ，１２ｍ，１２ｃ，１２ｋの前面（第６面）は、二次元多項式非球面として形成されており、それらの後面（第７面）は、凸の球面として形成されている。
【００４５】
アナモフィック非球面の主走査断面における形状は、光学面基準軸からの距離（ｙ）の点における光学面基準軸での接平面からのサグ量Ｘ（ｙ）として、下記式（３）により表され、主走査方向の各距離（ｙ）での副走査方向における形状は、円弧形状をとる。また、その曲率1/[Rz(y)]は、下記式（４）により表される。
X(y)= 1/Ry・y2/｛1+√[1-(κ+1)2y2/Ry2]｝
+AM1y+AM2y2+AM3y3+AM4y4+ AM5y5+AM6y6+AM7y7+AM8y8…  …（３）
1/[Rz(y)]=1/Rz
+ AS1y+AS2y2+AS3y3+AS4y4+ AS5y5+AS6y6+AS7y7+AS8y8…  …（４）
これら式（３）、（４）において、Ryは表１に挙げられた主走査方向における曲率半径であり、Rzは表１に挙げられた副走査方向における曲率半径であり、κは円錐係数、AM1、AM2、AM3、AM4、AM5、AM6、AM7、AM8…は夫々主走査方向に関する１次、２次、３次、４次、５次、６次、７次、８次…の非球面係数であり、AS1、AS2、AS3、AS4、AS5、AS6、AS7、AS8…は夫々副走査方向に関する１次、２次、３次、４次、５次、６次、７次、８次…の非球面係数である。本第１の実施例において走査レンズ１１の後側の面（第５面）の具体的形状を特定するためにこれら各式（３），（４）に適用される各係数を、表２に示す。
【００４６】
【表２】
2004361941.tif 000004
二次元多項式非球面は、光学面基準軸での接平面からのサグ量が接平面内で主走査方向（ｙ方向）及び副走査方向（ｚ方向）の二次元座標を変数とする多項式によって定義される光学曲面である。なお、接平面と、光学面基準軸との交点は、面設計時に設定される原点（面中心）である。この二次元多項式非球面の形状は、接平面上での点（ｙ，ｚ）における光学面基準軸での接平面からのサグ量Ｘ（ｙ，ｚ）として、下記式（５）により表される。
【００４７】
X(y,z)=1/Ry・(y2+z2)/｛1+√[1-(κ+1)・(y2+z2)/Ry2]｝
+Σbmnymzn                               ……(５)
式(５)において、Ryは表１に挙げられた主走査方向における曲率半径、κは円錐係数、Bmnは主走査方向における次数がm次であって副走査方向における次数がn次である非球面係数である。実施例１において長尺レンズ１２の前側の面（第６面）１２ｙ，１２ｍ，１２ｃ，１２ｋの具体的形状を特定するために式(５)に適用される各係数を表３に示す。
【００４８】
【表３】
2004361941.tif 000005
この走査光学系における光学系の光学性能を図６乃至図９に示す。ここで、図６は、ｆθ誤差（走査対象面Ｓ上でのスポット光の理想位置からの主走査方向へのずれ）を示し、図７は、主走査方向（破線）及び副走査方向（実線）の像面湾曲（結像位置の理想平面からの光軸方向へのずれ）を示し、図８は、走査線湾曲（ボウ）を示し、図９は、波面収差を示す。何れのグラフとも縦軸Ｙは主走査方向の走査位置を示し、横軸は収差量を示す。また、何れのグラフとも縦軸の単位は［ｍｍ］であり、図６乃至図８の横軸の単位も［ｍｍ］であるが、図９の横軸の単位は波長（RMS値）である。なお、図６乃至図９において、符号（ａ）は、内側の光学系の光学性能を、符号（ｂ）は、外側の光学系の光学性能を、夫々示す。
【００４９】
これら図６乃至図９に示されるように、本第１の実施例の走査光学系は、ｆθ特性、像面湾曲などの走査光学系に要求される基本的な走査性能を満たしつつ、ボウが良好に補正されており、しかも、波面のねじれが小さく抑えられている。
【実施例２】
【００５０】
次に、本実施形態による走査光学系の第２の実施例における具体的な数値構成について、説明する。以下の表４には、本実施例の走査光学系における内側及び外側の光学系の具体的な数値構成が、示されている。
【００５１】
【表４】
2004361941.tif 000006
この表４における各欄の意味は、上述した表１のものと同じである。なお、この走査光学系全体の焦点距離は２００ｍｍであり、走査対象面Ｓ上での有効走査幅は２１６ｍｍである。さらに、外側のレーザービームのポリゴンミラー５への入射角度は、２．５８°であり、内側のレーザービームのポリゴンミラー５への入射角度は、０．８６°である。また、当該レーザービームは、光学面基準軸Ａｘに対して６５．０°傾けられている。
【００５２】
以上の数値を条件式（１）に当てはめてみると、（β＝０．０４５０［ｒａｄ］，θ＝０．４９５７［ｒａｄ］，Ｎ＝１より）β＜０．０５０９となり、本第２の実施例はこの条件（１）を満たしている。さらに、以上の数値を条件式（２）に当てはめてみると、（Δｔ＝０．９８°，｜ｓ｜＝０．３２°，Δβ＝１．７°）より、（Δｔ＋｜ｓ｜）／Δβ＝０．７６となり、本第２の実施例はこの条件（２）を満たしている。
【００５３】
なお、本第２の実施例では、走査レンズ１１の前面（第４面）１１ａは、凹の球面として形成されており、その後面（第５面）は、アナモフィック非球面として形成されている。また、内側及び外側の長尺レンズ１２ｙ，１２ｍ，１２ｃ，１２ｋの前面（第６面）は、二次元多項式非球面として形成されており、その後面（第７面）は、凸の球面として形成されている。
【００５４】
実施例２の走査レンズ１１の後側の面（第５面）の具体的形状を特定するために式(３)，（４）に適用される各係数を表５に示す。
【００５５】
【表５】
2004361941.tif 000007
また、本第２の実施例において長尺レンズ１２の前側の面（第６面）の具体的形状を特定するために式（５）に適用される各係数を表６に示す。
【００５６】
【表６】
2004361941.tif 000008
この走査光学系における光学系の光学性能を図１０乃至図１３に示す。ここで、図１０は、ｆθ誤差を示し、図１１は、像面湾曲を示し、図１２は、走査線湾曲を示し、図１３は、波面収差を示す。なお、図１０乃至図１３において、符号（ａ）は、内側の光学系の光学性能を、符号（ｂ）は、外側の光学系の光学性能を、夫々示す。
【００５７】
これら図１０乃至図１３に示されるように、本第２の実施例の走査光学系は、第１の実施例と同様に、走査光学系に要求される基本的な走査性能を満たしつつ、各収差が小さく抑えられている。
【実施例３】
【００５８】
次に、本実施形態の走査光学系の第３の実施例における具体的な数値構成について、説明する。以下の表７には、本実施例の走査光学系における内側及び外側の光学系の具体的な数値構成が、示されている。
【００５９】
【表７】
2004361941.tif 000009
これら表７における各欄の意味は、上述した表１のものと同じである。なお、この走査光学系全体の焦点距離は２２０ｍｍであり、走査対象面Ｓ上での有効走査幅は２１６ｍｍである。さらに、外側のレーザービームのポリゴンミラー５への入射角度は、３．２６°であり、内側のレーザービームのポリゴンミラー５への入射角度は、１．０９°である。また、当該レーザービームは、光学面基準軸Ａｘに対して７０．０°傾けられている。
【００６０】
以上の数値を条件式（１）に当てはめてみると、（β＝０．０５６９［ｒａｄ］，θ＝０．４５５５［ｒａｄ］，Ｎ＝１より）β＜０．０５８９となり、本第３の実施例はこの条件（１）を満たしている。さらに、以上の数値を条件式（２）に当てはめてみると、（Δｔ＝１．８６°，｜ｓ｜＝０．１８°，Δβ＝２．２°）より、（Δｔ＋｜ｓ｜）／Δβ＝０．９４°となり、本第３の実施例はこの条件（２）を満たしている。
【００６１】
なお、本第３の実施例では、走査レンズ１１の前面（第４面）は、凹の球面として形成されており、その後面（第５面）は、アナモフィック非球面として形成されている。また、内側及び外側の長尺レンズ１２ｙ，１２ｍ，１２ｃ，１２ｋの前面（第６面）は、二次元多項式非球面として形成されており、その後面（第７面）は、凸の球面として形成されている。
【００６２】
実施例３の表７において走査レンズ１１の後側の面（第５面）の具体的形状を特定するために式（３），（４）に適用される各係数を、表８に示す。
【００６３】
【表８】
2004361941.tif 000010
また、本第３の実施例において長尺レンズ１２の前側の面（第６面）の具体的形状を特定するために式（５）に適用される各係数を表９に示す。
【００６４】
【表９】
2004361941.tif 000011
この走査光学系における光学系の光学性能を図１４乃至図１７に示す。ここで、図１４は、ｆθ誤差を示し、図１５は、像面湾曲を示し、図１６は、走査線湾曲を示し、図１７は、波面収差を示す。なお、図１４乃至図１７において、符号（ａ）は、内側の光学系の光学性能を、符号（ｂ）は、外側の光学系の光学性能を、夫々示す。
【００６５】
これら図１４乃至図１７に示されるように、本第３の実施例の走査光学系は、第１，及び第２の実施例と同様に、走査光学系に要求される基本的な走査性能を満たしつつ、各収差が小さく抑えられている。
【実施例４】
【００６６】
次に、本実施形態の走査光学系の第４の実施例における具体的な数値構成について、説明する。以下の表１０には、本実施例の走査光学系における内側及び外側の光学系の具体的な数値構成が、示されている。
【００６７】
【表１０】
2004361941.tif 000012
この表１０における各欄の意味は、上述した表１のものと同じである。なお、この走査光学系全体の焦点距離は２３５ｍｍであり、走査対象面Ｓ上での有効走査幅は２１６ｍｍである。さらに、外側のレーザービームのポリゴンミラー５への入射角度は、４．２９°であり、内側のレーザービームのポリゴンミラー５への入射角度は、１．４３°である。また、当該レーザービームは、光学面基準軸Ａｘに対して７５．０°傾けられている。
【００６８】
以上の数値を条件式（１）に当てはめてみると、（β＝０．０７４９［ｒａｄ］，θ＝０．４３０８［ｒａｄ］，Ｎ＝２より）β＜０．１０６９となり、本第４の実施例はこの条件（１）を満たしている。さらに、以上の数値を条件式（２）に当てはめてみると、（Δｔ＝２．１３°，｜ｓ｜＝（｜ｓ1｜＋｜ｓ2｜）／２＝（０．６６°＋０．７５°）／２＝０．７０５°，Δβ＝２．２°）より、（Δｔ＋｜ｓ｜）／Δβ＝０．９８°となり、本第４の実施例はこの条件（２）を満たしている。
【００６９】
なお、本第４の実施例では、走査レンズ１１の前面（第４面）は、凹の球面として形成されており、その後面（第５面）は、アナモフィック非球面として形成されている。また、内側及び外側の長尺レンズ１２ｙ、１２ｍ、１２ｃ、１２ｋの前面（第６面）は、二次元多項式非球面として形成されており、その後面（第７面）も、二次元多項式非球面として形成されている。
【００７０】
本第４の実施例の表１０において走査レンズ１１の後側の面（第５面）の具体的形状を特定するために式（３）、（４）に適用される各係数を、表１１に示す。
【００７１】
【表１１】
2004361941.tif 000013
また、本第４の実施例において長尺レンズ１２の前側の面（第６面），及び後側の面（第７面）の具体的形状を特定するために式（５）に適用される各係数を表１２，及び表１３に示す。
【００７２】
【表１２】
2004361941.tif 000014
【００７３】
【表１３】
2004361941.tif 000015
この走査光学系における光学系の光学性能を図１８乃至図２１に示す。ここで、図１８は、ｆθ誤差を示し、図１９は、像面湾曲を示し、図２０は、走査線湾曲を示し、図２１は、波面収差を示す。なお、図１８乃至図２１において、符号（ａ）は、内側の光学系の光学性能を、符号（ｂ）は、外側の光学系の光学性能を、夫々示す。
【００７４】
これら図１８乃至図２１に示されるように、本第４の実施例の走査光学系は、第１，第２，及び第３の実施例と同様に、走査光学系に要求される基本的な走査性能を満たしつつ、各収差が小さく抑えられている。
【図面の簡単な説明】
【００７５】
【図１】本発明の実施形態である走査光学系の光学構成を概略的に示す斜視図
【図２】走査光学系の主要部の主走査方向における光学構成図
【図３】走査光学系の主要部の副走査方向における光学構成図
【図４】内側及び外側の走査光学系の副走査方向における光学構成図
【図５】走査光学系の主要部の副走査方向における光学構成を概略的に示す図
【図６】実施例１の走査光学系のｆθ誤差を示すグラフ
【図７】実施例１の走査光学系の像面湾曲を示すグラフ
【図８】実施例１の走査光学系の走査線湾曲を示すグラフ
【図９】実施例１の走査光学系の波面収差を示すグラフ
【図１０】実施例２の走査光学系のｆθ誤差を示すグラフ
【図１１】実施例２の走査光学系の像面湾曲を示すグラフ
【図１２】実施例２の走査光学系の走査線湾曲を示すグラフ
【図１３】実施例２の走査光学系の波面収差を示すグラフ
【図１４】実施例３の走査光学系のｆθ誤差を示すグラフ
【図１５】実施例３の走査光学系の像面湾曲を示すグラフ
【図１６】実施例３の走査光学系の走査線湾曲を示すグラフ
【図１７】実施例３の走査光学系の波面収差を示すグラフ
【図１８】実施例４の走査光学系のｆθ誤差を示すグラフ
【図１９】実施例４の走査光学系の像面湾曲を示すグラフ
【図２０】実施例４の走査光学系の走査線湾曲を示すグラフ
【図２１】実施例４の走査光学系の波面収差を示すグラフ
【図２２】従来の走査光学系の副走査方向における図
【符号の説明】
【００７６】
１    光源ユニット
２    シリンドリカルレンズ
５    ポリゴンミラー
５ａ    中心軸
１０    結像光学系
１１    走査レンズ
１２ｙ    長尺レンズ
１２ｍ    長尺レンズ
１２ｃ    長尺レンズ
１２ｋ    長尺レンズ
Ａｘ    光学面基準軸
Ａｘ´    光学面基準軸
２０Ｙ    イエロー用感光ドラム
２０Ｍ    マゼンダ用感光ドラム
２０Ｃ    シアン用感光ドラム
２０Ｋ    黒用感光ドラム
【図１】
2004361941.tif 000016
【図２】
2004361941.tif 000017
【図３】
2004361941.tif 000018
【図４】
2004361941.tif 000019
【図５】
2004361941.tif 000020
【図６】
2004361941.tif 000021
【図７】
2004361941.tif 000022
【図８】
2004361941.tif 000023
【図９】
2004361941.tif 000024
【図１０】
2004361941.tif 000025
【図１１】
2004361941.tif 000026
【図１２】
2004361941.tif 000027
【図１３】
2004361941.tif 000028
【図１４】
2004361941.tif 000029
【図１５】
2004361941.tif 000030
【図１６】
2004361941.tif 000031
【図１７】
2004361941.tif 000032
【図１８】
2004361941.tif 000033
【図１９】
2004361941.tif 000034
【図２０】
2004361941.tif 000035
【図２１】
2004361941.tif 000036
【図２２】
2004361941.tif 000037